【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
少なくとも１つのアブレーション電極を含む細長い部材と、
前記細長い部材を患者の体内に挿入するための寸法および形状にされたシースと、
前記シース上の不関電極であって、組織近傍に電界を形成するために少なくとも１つのアブレーション電極と不関電極との間において伝達される直流パルスの電流路を与えるように形成される、不関電極と
を含むカテーテル機器。
【請求項２】
前記シースが操作可能である、請求項１に記載のカテーテル機器。
【請求項３】
前記直流パルスが可変周波数波形により特徴づけられる、請求項１又は２に記載のカテーテル機器。
【請求項４】
前記直流パルスが可変振幅波形により特徴づけられる、請求項１〜３のいずれかに記載のカテーテル機器。
【請求項５】
前記直流パルスが可変持続時間波形により特徴づけられる、請求項１〜４のいずれかに記載のカテーテル機器。
【請求項６】
前記細長い部材がフープ部分を含み、かつ前記アブレーション電極が前記フープ位置上に配置される、請求項１〜５のいずれかに記載のカテーテル機器。
【請求項７】
前記細長い部材が一緒に直列に配線される複数の電極を含む、請求項１〜６のいずれかに記載のカテーテル機器。
【請求項８】
前記ＤＣパルスの伝達中にのみ前記複数の電極が直列に電気的に接続される、請求項７に記載のカテーテル機器。
【請求項９】
電流路の形成を容易にする導電物質を分泌するために前記細長い部材に形成される少なくとも１つのポートをさらに含む、請求項１〜１０のいずれかに記載のカテーテル機器。
【請求項１０】
カテーテルを受け入れるための寸法および形状にされた内腔を画定する細長い本体と、
前記細長い本体上に配置され、かつ損傷形成または視覚化処置のための直流パルスの電気グランドを与えるように形成される不関コイル電極と
を含む操作可能イントロデューサ。
【請求項１１】
近位端、遠位端、および前記遠位端付近に配置される少なくとも１つの電極を含むカテーテルと、
前記カテーテルを受け入れるための寸法および形状にされた内腔を画定し、電源から少なくとも１つの電極への電流路のグランドを与えるように形成される不関電極を含むシースと
を含むキット。
【請求項１２】
前記少なくとも１つの電極が、作動中に直流パルスにより前記複数の電極のそれぞれに対して実質的に同じ時間に電流が与えられるように形成される複数の電極を含む、請求項１１に記載のキット。
【請求項１３】
前記シースが操作可能誘導導入器を含む、請求項１１又は１２に記載のキット。
【請求項１４】
前記不関電極がコイルを含む、請求項１１〜１３のいずれかに記載のキット。
【請求項１５】
前記コイルが、電気エネルギーが前記コイルの少なくとも一部を通じて流れるときに生成される熱を放散するための高表面積を与えるように形成される多数の巻線を含む、請求項１４に記載のキット。
【請求項１６】
前記コイルが、電気エネルギーが前記コイルの少なくとも一部を通じて流れるときに生成される熱を放散するための高表面積を与えるように形成される巻線ピッチを有する巻線を含む、請求項１４に記載のキット。
【請求項１７】
前記コイルの少なくとも一部の分路をさらに含む、請求項１４に記載のキット。
【請求項１８】
前記少なくとも１つの電極がセグメント化電極を含む、請求項１１〜１７のいずれかに記載のキット。
【請求項１９】
前記少なくとも１つの電極が導電性重合体により被覆される、請求項１１〜１８のいずれかに記載のキット。
【請求項２０】
前記少なくとも１つの電極が、電極−組織の接触および電気的結合に基づいて別々かつ選択的に通電されるように構成される、請求項１１〜１９のいずれかに記載のキット。
【手続補正２】
【補正対象書類名】明細書
【補正対象項目名】０１０４
【補正方法】変更
【補正の内容】
【０１０４】
本明細書中に参照により援用されると称される、いかなる特許、出版物、もしくはその他の開示マテリアルは全体として又はその一部として組み込まれたマテリアルは、既存の定義、ステートメント、または本明細書おけるその他の開示マテリアルと競合しない範囲においてのみ、参照により本明細書に組み込まれる。また、必要な範囲内において、本明細書に明示的に記載した開示は、本明細書に参照により組み込まれる全てのマテリアルよりも優先される。任意のマテリアル、またはその部分は、参照により本明細書に援用されると称されるが、既存の定義、記述、または本明細書に記載の他の開示マテリアルとその組み込まれたマテリアルとの間に衝突が生じない程度に組み入れるものとする。
以下の項目は、国際出願時の特許請求の範囲に記載の要素である。
（項目１）
少なくとも１つのアブレーション電極を含む細長い部材と、
前記細長い部材を患者の体内に挿入するための寸法および形状にされたシースと、
前記シース上の不関電極であって、組織近傍に電界を形成するために少なくとも１つのアブレーション電極と不関電極との間において伝達される直流パルスの電流路を与えるように形成される、不関電極と
を含むカテーテル機器。
（項目２）
前記シースが操作可能である、項目１に記載のカテーテル機器。
（項目３）
前記直流パルスが可変周波数波形により特徴づけられる、項目１に記載のカテーテル機器。
（項目４）
前記直流パルスが可変振幅波形により特徴づけられる、項目１に記載のカテーテル機器。
（項目５）
前記直流パルスが可変持続時間波形により特徴づけられる、項目１に記載のカテーテル機器。
（項目６）
前記細長い部材がフープ部分を含み、かつ前記アブレーション電極が前記フープ位置上に配置される、項目１に記載のカテーテル機器。
（項目７）
前記細長い部材が一緒に直列に配線される複数の電極を含む、項目１に記載のカテーテル機器。
（項目８）
前記ＤＣパルスの伝達中にのみ前記複数の電極が直列に電気的に接続される、項目７に記載のカテーテル機器。
（項目９）
電流路の形成を容易にする導電物質を分泌するために前記細長い部材に形成される少なくとも１つのポートをさらに含む、項目１に記載のカテーテル機器。
（項目１０）
カテーテルを受け入れるための寸法および形状にされた内腔を画定する細長い本体と、
前記細長い本体上に配置され、かつ損傷形成または視覚化処置のための直流パルスの電気グランドを与えるように形成される不関コイル電極と
を含む操作可能イントロデューサ。
（項目１１）
近位端、遠位端、および前記遠位端付近に配置される少なくとも１つの電極を含むカテーテルと、
前記カテーテルを受け入れるための寸法および形状にされた内腔を画定し、電源から少なくとも１つの電極への電流路のグランドを与えるように形成される不関電極を含むシースと
を含むキット。
（項目１２）
前記少なくとも１つの電極が、作動中に直流パルスにより前記複数の電極のそれぞれに対して実質的に同じ時間に電流が与えられるように形成される複数の電極を含む、項目１１に記載のキット。
（項目１３）
前記シースが操作可能誘導導入器を含む、項目１１に記載のキット。
（項目１４）
前記不関電極がコイルを含む、項目１１に記載のキット。
（項目１５）
前記コイルが、電気エネルギーが前記コイルの少なくとも一部を通じて流れるときに生成される熱を放散するための高表面積を与えるように形成される多数の巻線を含む、項目１４に記載のキット。
（項目１６）
前記コイルが、電気エネルギーが前記コイルの少なくとも一部を通じて流れるときに生成される熱を放散するための高表面積を与えるように形成される巻線ピッチを有する巻線を含む、項目１４に記載のキット。
（項目１７）
前記コイルの少なくとも一部の分路をさらに含む、項目１４に記載のキット。
（項目１８）
前記少なくとも１つの電極がセグメント化電極を含む、項目１１に記載のキット。
（項目１９）
前記少なくとも１つの電極が導電性重合体により被覆される、項目１１に記載のキット。
（項目２０）
前記少なくとも１つの電極が、電極−組織の接触および電気的結合に基づいて別々かつ選択的に通電されるように構成される、項目１１に記載のキット。